(57)【要約】      （修正有）【課題】空になった取手付ペットボトルを、用途により適切な位置で、切断して、有効活用を図れる様にした取手付ペットボトルの再利用用品を提供する。【解決手段】上部に注ぎ口を有し、やや大口径の筒状胴径部を備え、注ぎ口と、筒状胴径部との間に、円錐形の上部接続部を有した取付ペットボトルにおいて、筒状胴径部の上側を略水平に、または円錐形の上部接続部を斜めに、強度を考慮しつつ切断し開口部を形成して構成する。再利用の目的に応じて、切断方法を変更する。各種再利用形態に対応する切断面を型紙として別途用意するか、ペットボトル本体に印刷しておいても良い。【選択図】図３
0003155179.tif 000002
【実用新案登録請求の範囲】
【請求項１】
上部に注ぎ口を有し、やや大口径の筒状胴径部を備え、注ぎ口と、筒状胴径部は、円錐形の上部接続部を有し、筒状胴径部の上側を▲略▼水平に、または、円錐形の上部接続部を斜めに、強度を考慮しつつ切断した、開口部を形成して成りたっており。
様々な持ち運び易い有効実用化容器へと、再利用を出来る様にしたことを特徴とした、取手付ペットボトルの再利用用品。
【請求項２】
前記  筒状胴径部の、側壁の一部に、強度を考慮しつつ切除した、窓孔を透接して成りたっており。
様々な持ち運び易い有効実用化容器へと、再利用を出来る様にしたことを特徴とした、請求項１、に記載の、取手付ペットボトルの再利用用品。
【請求項３】
取手付ペットボトル側への切断目安線、切除目安線、を予め印刷された、取手付ペットボトルの大きさに合致する型紙を用意しておき、切断・切除、を簡単に行える様にしたことを特徴とした、請求項１、請求項２、に記載の、取手付ペットボトルの再利用用品。
【請求項４】
取手付ペットボトル側の、円錐状の上部接続部と筒状胴径部に、切断目安線、切除目安線、を取手付ペットボトル側に予め印刷しておき、切断・切除、を簡単に行える様にしていることを特徴とした、請求項１、請求項２、に記載の、取手付ペットボトルの再利用用品。
【考案の詳細な説明】
【技術分野】
【０００１】  本考案は、産業廃棄物の減少を計り、産業廃棄物の有効利用分野に属する。
【背景技術】
【０００２】  現状に於いては、産業廃棄物である取手付ペットボトルは、輸送コストも大きく、再資源として再利用の場合にも、一度溶解の必要が有り、二酸化炭素の排出源でも有り、地球温暖化の原因の１つでも有ります。
【先行技術文献】
【０００３】  これと言った、先行技術文献、資料は見当たり有りません。
【考案が解決しようとする課題】
【０００４】  現状は産業廃棄物であり、分別廃棄扱いが現状で有り、取手付ペットボトルに家庭にて僅かな１手間を掛けて、取手付ペットボトルの再利用用品・実用品にすることで地球温暖化の原因をほんの僅かでも減らすのが、目的で有ります。
【課題を解決するための手段】
【０００５】  取手付ペットボトルの強度を考慮しながら、上側の切断、および取手付ペットボトの側面を切除、の実験を行いました。
〔従来の技術〕
【０００６】  現状に於いては取手付ペットボトルも産業廃棄物で有り、分別回収されております。
【０００７】  現状に於いては取手付ペットボトルも産業廃棄物で有り、分別回収され、１度溶解されて・化学繊維・再びペットボトル・その他の加工品・へと再加工されております。
【０００８】  取手付ペットボトルの再生には輸送問題、溶解作業問題が有ります、この２点は大きな二酸化炭素の発生源にも成っております、地球温暖化の１つの原因でも有ります。
【０００９】  取手付ペットボトルを焼却処分した場合には、焼却温度が低温で有った場合には、ダイオキシン等の有害物質の発生の原因と成っております。
【図面の簡単な説明】
【００１０】
【図１】取手付ペットボトルの外形図面
【図２】持ち運び易い花瓶、としての使用例図面
【図３】ワイン・ウィスキー・のクーラータンブラー、としての使用例図面
【図４】水槽、としての使用例図面
【図５】室内観葉植物の鉢植え容器、としての使用例図面
【図６】屋外での草と小さな木の栽培鉢容器、としての使用例図面
【図７】取手付ペットボトルの切断、切除用、の形紙が被さっている図面
【図８】取手付ペットボトルの切断、切除用形紙、を平面状にした図面
【図９】取手付ペットボトルの切断、切除用形紙、の平面展開形紙図面
【図１０】取手付ペットボトルに直接、切断、切除線を印刷した図面
【考案を実施するための形態】
【００１１】  これからは・図１・図２・図３・図４・図５・図６・図７・図８・図９・図１０、にて取手付ペットボトルの再利用用品の説明を致します。
【００１２】  図１は追加工前の品番１０、取手付ペットボトルの外形を表し、品番１１は注ぎ口を表し、品番１２は上側円錐形部分を表し、品番１３は下側筒状胴径部分を表し、ております。
【実施例】
【００１３】  これからは・図２・図３・図４・図５・図６・図７・図８・図９・図１０、にて取手付ペットボトル再利用用品の説明を致します。【００１４】  図２にては、品番２０取手付ペットボトルの下側筒状胴径部分の、品番５１切断目安線にて、品番３０の切断をして、持ち運び易い花瓶、としての使用例を表しております。比較的には軽い物が対象で、良く移動する物件が対象で有ります。【００１５】  図３にては、品番１２取手付ペットボトルの上側円錐形部分と、品番１３取付ペットボトル下側筒状胴径部分、とにまたがる品番５４切断目安線にて、品番３１にて切切断し、持ち運び易い、・ワイン・ウィスキー・のクーラータンブラー、としての使用例を表しております、比較的には重い物が対象で、良く移動する物件が対象です。【００１６】  図４にては、品番１２取手付ペットボトルの上側円錐形部分と、品番１３取手付ペットボトルの下側筒状胴径部分、とにまたがる品番５４切断目安線にて、品番３２にて切断をし、そのうえに、品番１３取手付ペットボトルの下側筒状胴径部分に、品番５６切除目安線にて、品番３５部分を切除致します。
それにて、持ち運び易い、水槽、としての使用例を表しております、比較的には中程度の重さで、あまり移動しない物件が対象です。【００１７】  図５にては、品番１２取手付ペットボトルの上側円錐形部分と、品番２３取手付ペットボトルの下側筒状胴径部分、とにまたがる品番５４切断目安線にて、品番３３にて切断をし、そのうえに、品番１３取手付ペットボトルの下側筒状胴径部分に、品番５６切除目安線にて、品番３６部分を切除致します。
それにて、持ち運び易い、室内観葉植物の鉢植え容器、としての使用例を表しております、比較的には中程度の重さで、あまり移動しない物件が対象です。【００１８】  図６にては、品番１２取手付ペットボトルの上側円錐形部分と、品番１３取手付ペットボトルの下側筒状胴径部分、とにまたがる品番５４切断目安線にて、品番３４にて切断をし、そのうえに、品番１３取手付ペットボトルの下側筒状胴径部分に、品番５６切除目安線にて、品番３７部分を切除致します。
それにて、持ち運び易い、屋外での草と小さな木の栽培鉢、としての使用例を表しております、比較的には中程度の重さで、あまり移動しない物件が対象です。【００１９】  屋外での草と小さな木の栽培鉢、として使用する場合には、品番２４取手付ペットボトルの底側に、図６中品番５７水抜き穴、を設ける必要が有ります。【００２０】  屋外での草と小さな木の栽培鉢、として使用した場合、植物の種類によっては、品番２４取手付ペットボトルに、品番１３取手付ペットボトルの下側筒状胴径部分に、品番５８通気穴を設ける必要が有ります。【００２１】  図７にては、取手付ペットボトルに、品番５０Ａ・５０Ｂ・切断、切除部分記入形紙に、品番５１〜５６切断目安線、切除目安線、を記入した円筒形形紙、と円錐形形紙を被せた様子を表しました。【００２２】  図７中にて示す、品番５６の切除目安線は、使用用途と作成者の趣味にて、寸法線・Ｌ１・Ｌ２・Ｌ３・はこの範囲内にて、自由に変更可能な範囲を表しております。【００２３】  図８にては、図７にての、取手付ペットボトル形紙に、品番５１〜５６取手付ペットボトルの切断目安線、切除目安線、を記入した円筒形形紙、と円錐形形紙、をそのまま二つ折りに押しつぶして、平面状にした形を表しました。【００２４】  図９にては、図７にての、取手付ペットボトル形紙に、品番５１〜５６取手付ペットボトル切断目安線、切除目安線を記入した円筒形形紙、と円錐形形紙、を平面展開をした形を表しました。【００２５】  図１０にては、取手付ペットボトル自体に、品番６１〜６６の切断目安線、切除目安線、をペットボトルの製作段階にて、印刷した形を表しました。
【産業上の利用可能性】
【００２６】  図６にての使用の場合、屋外での草と小さな木の栽培鉢として使用する場合に、品番４９草木が伸びてきて、倒れ易い状態の場合、取手付ペットボトル上側の残された円錐形部にて保護され転倒防止にも成る、この様な利点も有ることが解った。【００２７】  この様に品番１０取手付ペットボトルを有効再実用化を計ることに依って、有効資源の再実用利用化が計られて、産業廃棄物の削減が計られことと成った。【００２８】  図５にての、室内観葉植物鉢植え容器として使用した場合、間違えて水を多く与えてしまった場合に於いても、水が漏れだしても心配無し、という利点も見つかった。【００２９】  図６にて、屋外での草と小さな木の栽培鉢、と使用した場合、鉢の移動時には取手を持って移動出来る、という便利さも合わせ持っております。【００３０】  どの様な使用方法で有っても、取手を持っての移動と言う、利便性は残されており、扱い易い容器として、再利用用品としての、形態を持っております。【００３１】  前述より、産業廃棄物の削減が計られたことに依り、輸送コストの削減と再資源化として使用する場合の溶解工程が省かれることに依り、二酸化炭素の排出量の削減にも成り、地球温暖化防止にも役立つことも解った。【００３２】  前述より、輸送コストの削減と再資源化として使用する場合の溶解工程量が少なく成ることに依り、二酸化炭素の排出量の削減にも繋がり、地球温暖化現象防止にも、役立つことも解り、地球環境に優しい企業イメージの向上としても使用出来る、取手付ペットボトルの再利用用品・で有ります。【００３３】  図２・図３・図４・図５・図６、にての使用例の他にも・図７  Ｌ１寸法を小さくし、Ｌ２寸法を大きくした場合には、テーブル上の調味量入れとしての、取手付ペットボトルの再利用用品。またＬ１寸法を大きくし、Ｌ２・Ｌ３寸法を小さくすることにて、子供用の小型玩具の入れ物としての、取手付ペットボトルの再利用用品としてと、様々な方面に、かなり広範囲に取手付ペットボトルの再利用用品としての、範囲は大きく広がって行くものと考慮しております。
【符号の説明】
【００３４】１０    取手付ペットボトルの外形
１１    取手付ペットボトルの注ぎ口
１２    取手付ペットボトルの上側円錐形部分
１３    取手付ペットボトルの下側筒状胴形部分
２０    持ち運び易い花瓶、としての切除加工例
２１    ワイン・ウィスキー・のクーラータンブラー、としての切除加工例
２２    水槽、としての切除加工例
２３    室内観葉植物の鉢植え、としての切除加工例
２４    屋外での草と小さな木の栽培鉢、としての切除加工例
３０    切断加工線を示す
３１    切断加工線を示す
３２    切断加工線を示す
３３    切断加工線を示す
３４    切断加工線を示す
３５    切除加工部分を示す
３６    切除加工部分を示す
３７    切除加工部分を示す
４０    水
４１    氷
４２    水
４３    植木鉢
４４    培養土
４５    草花・木
４６    ワインボトル
４７    金魚
４８    観葉植物
４９    草と小さな木の植物
５０Ａ  取手付ペットボトルの円筒形部分の切除、切断部分記入形紙
５０Ｂ  取手付ペットボトルの円錐形部分の、切断部分記入形紙
５０Ｃ  取手付ペットボトルの円筒形部分の、形紙の組立用糊代部分
５０Ｄ  取手付ペットボトルの円錐形部分の、形紙の組立用糊代部分
５１    参考切断目安線
５２    参考切断目安線
５３    参考切断目安線
５４    参考切断目安線
５５    参考切断目安線
５６    参考切除範囲目安線
５７    水抜き穴（底側に穴明け加工とする）
５８    通気穴（下側筒状胴径部に穴明け加工とする）
６１    取手付ペットボトルに直接、印刷された参考切断線
６２    取手付ペットボトルに直接、印刷された参考切断線
６３    取手付ペットボトルに直接、印刷された参考切断線
６４    取手付ペットボトルに直接、印刷された参考切断線
６５    取手付ペットボトルに直接、印刷された参考切断線
６６    取手付ペットボトルに直接、印刷された参考切除範囲線
Ｌ１    切除範囲の下側線（使用目的に合わせて決定する）
Ｌ２    切除範囲の上側線（使用目的に合わせて決定する）
Ｌ３    切除範囲の側面線（使用目的に合わせて決定する）
【図１】
0003155179.tif 000003
【図２】
0003155179.tif 000004
【図３】
0003155179.tif 000005
【図４】
0003155179.tif 000006
【図５】
0003155179.tif 000007
【図６】
0003155179.tif 000008
【図７】
0003155179.tif 000009
【図８】
0003155179.tif 000010
【図９】
0003155179.tif 000011
【図１０】
0003155179.tif 000012
【手続補正書】
【提出日】平成21年8月6日(2009.8.6)
【手続補正１】
【補正対象書類名】実用新案登録請求の範囲
【補正対象項目名】全文
【補正方法】変更
【補正の内容】
【実用新案登録請求の範囲】
【請求項１】
上部に注ぎ口を有し、やや大口径の筒状胴径部を備え、注ぎ口と、筒状胴径部との間に、円錐形の上部接続部を有し、筒状胴径部の上側を略水平に、または円錐形の上部接続部を斜めに、強度を考慮しつつ切断した、開口部を形成して成りたっており、様々な有効実用化容器として再利用を出来る様にしたことを特徴とした、取手付ペットボトルの再利用用品。
【請求項２】
前記  筒状胴径部の、側壁の一部に、強度を考慮しつつ切除した、窓孔を透接して成りたっており、様々な有効実用化容器として、再利用を出来る様にしたことを特徴とした、請求項１、に記載の、取手付ペットボトルの再利用用品。
【請求項３】
取手付ペットボトル側へ、円錐形の上部接続部と筒状胴径部に、切断目安線、切除目安線、を予め印刷しておき、切断・切除、を簡単に行える様にしていることを特徴とした、請求項１、または請求項２、に記載の、取手付ペットボトルの再利用用品。
【請求項４】
請求項１、または請求項２、に記載の、取手付ペットボトルの再利用用品の形成に用いる型紙であって、取手付ペットボトルにピッタリと被さる大きさの型紙であり、型紙には円錐形の上部接続部と筒状胴径部に、切断目安線、切除目安線、が予め印刷されており、この型紙を使用することにより、切断・切除、を簡単に行える様にしていることを特徴とした、請求項１、または請求項２、に記載の、取手付ペットボトルの再利用用品。